(57)【要約】【課題】不要なハンドオーバ制御回数を削減する。【解決手段】位置情報検出部１２１、距離算出部１２２、移動方向及び速度算出部１２３によって、移動通信端末と周辺の複数の基地局のそれぞれとの間の距離と、移動通信端末の移動方向とその速度とを求め、更に伝送路品質検出部１２４で周辺の複数基地局のそれぞれにおけるフェージング劣化の状態を求める。そして、求めた各種パラメータを基にオフセット算出部１２５にて基地局ごとの受信信号レベルに対するオフセットを算出する。そして、算出した周辺の複数基地局ごとのオフセット値と、周辺の複数基地局ごとの受信信号レベルとを基にハンドオーバ先選択部１２６にてハンドオーバ先となる基地局を選択する。【選択図】  図１
2005012429.tif 000002
【特許請求の範囲】
【請求項１】
自端末周辺の複数の基地局のそれぞれと無線通信回線を介して通信を行う移動通信端末であって、
接続中の周辺基地局の位置情報を取得して自端末の位置を検出する位置情報検出手段と、
前記自端末の位置と前記基地局のそれぞれとの間の距離を算出する距離算出手段と、
前記自端末の位置情報を基に自端末の移動方向と移動速度を検出する移動方向及び速度検出手段と、
前記自端末と前記基地局のそれぞれとの間の伝送路品質を検出する伝送路品質検出手段と、
前記自端末と前記基地局のそれぞれとの間の距離、前記自端末の移動方向及び速度並びに前記伝送路品質を基に前記基地局ごとの受信信号レベルに対するオフセット値を算出するオフセット算出手段と、
前記基地局ごとに算出したオフセット値及び前記基地局ごとの受信信号レベルを基にハンドオーバ先となる基地局を選択するハンドオーバ先選択手段と、
を具備する移動通信端末。
【請求項２】
前記位置情報検出手段は、前記基地局から送信される緯度経度情報に基づいて前記自端末の位置を検出する請求項１に記載の移動通信端末。
【請求項３】
前記移動方向及び速度検出手段は、前記位置距離算出手段で算出された前記自端末の位置の時間変化の割合から前記自端末の移動速度及び移動方向を算出する請求項１又は請求項２のいずれか一項に記載の移動通信端末。
【請求項４】
前記伝送路品質検出手段は、前記基地局から送信された無線信号を受信した際の受信信号レベルの分散とマルチパスによるパス数とに基づいて算出したフェージング劣化の度合いから前記伝送路品質を検出する請求項１から請求項３のいずれか一項に記載の移動通信端末。
【請求項５】
前記オフセット算出手段は、フェージング劣化の多い基地局に対してはマイナスのオフセット値を算出する請求項４に記載の移動通信端末。
【請求項６】
前記オフセット算出手段は、フェージング劣化の少ない基地局に対してはプラスのオフセット値を算出する請求項４に記載の移動通信端末。
【請求項７】
前記ハンドオーバ先選択手段は、前記基地局のそれぞれに設定されたオフセット値と前記基地局のそれぞれからの無線信号の受信信号レベルとに基づいてハンドオーバ先となる基地局を選択する請求項１から請求項６のいずれか一項に記載の移動通信端末。
【請求項８】
移動通信端末が基地間を移動する際に、その移動に伴って遂次通信に最適な基地局を選択するハンドオーバ制御方法であって、
前記移動通信端末と接続中にある周辺の基地局の位置情報を取得して前記移動通信端末の位置を検出する位置情報工程と、
前記自端末の位置と前記基地地局のそれぞれとの間の距離を算出する距離算出工程と、
前記移動通信端末の位置情報を基に前記移動通信端末の移動方向と移動速度を検出する移動方向及び速度検出工程と、
前記移動通信端末と前記基地局のそれぞれとの間の伝送路品質を検出する伝送路品質検出工程と、
前記移動通信端末と前記基地局のそれぞれとの間の距離、前記移動通信端末の移動方向及び移動速度並びに前記伝送路品質を基に前記基地局ごとの受信信号レベルに対するオフセット値を算出するオフセット算出工程と、
前記基地局ごとに算出したオフセット値及び前記基地局ごとの受信信号レベルを基にハンドオーバ先となる基地局を選択するハンドオーバ先選択工程と、
を具備するハンドオーバ制御方法。
【請求項９】
移動通信端末が基地間を移動する際に、その移動に伴って遂次通信に最適な基地局を選択するハンドオーバ制御プログラムであって、
前記移動通信端末と接続中にある周辺の基地局の位置情報を取得して前記移動通信端末の位置を検出する位置情報工程と、
前記自端末の位置と前記基地地局のそれぞれとの間の距離を算出する距離算出工程と、
前記移動通信端末の位置情報を基に前記移動通信端末の移動方向と移動速度を検出する移動方向及び速度検出工程と、
前記移動通信端末と前記基地局のそれぞれとの間の伝送路品質を検出する伝送路品質検出工程と、
前記移動通信端末と前記基地局のそれぞれとの間の距離、前記移動通信端末の移動方向及び移動速度並びに前記伝送路品質を基に前記基地局ごとの受信信号レベルに対するオフセット値を算出するオフセット算出工程と、
前記基地局ごとに算出したオフセット値及び前記基地局ごとの受信信号レベルを基にハンドオーバ先となる基地局を選択するハンドオーバ先選択工程と、をコンピュータに実行させるハンドオーバ制御プログラム。
【発明の詳細な説明】
【０００１】
【発明の属する技術分野】
この発明は、移動体通信システムにおいて、ハンドオーバに際し、接続先基地局を選択する機能を備えた移動通信端末、ハンドオーバ制御方法及びハンドオーバ制御プログラムに関する。
【０００２】
【従来の技術】
従来、移動通信システムでは、通信中の移動通信端末がセル間を移動する際に、接続先の基地局を切り換える、いわゆるハンドオーバが行われる。移動通信端末はハンドオーバを行う際に、周辺の複数の基地局のそれぞれから到来する電波の受信品質を測定し、所定レベル以上で最も安定している基地局を選択してこの基地局に接続先を切り換える。
【０００３】
このようなハンドオーバを行うにあたり、ハンドオーバ制御方法に関して以下のような先行技術が挙げられる。例えば、受信電力レベルに応じてハンドオーバのしきい値の変更を行い、不要なハンドオーバを削減するもの（例えば、特許文献１参照）。
【０００４】
また、ＧＰＳを用いて周辺基地局の位置情報を取得し、自端末との距離を測定して適切なセルに対してハンドオーバしているものはもある（例えば、特許文献２参照）。
【０００５】
【特許文献１】
特開２０００−１０２０５７号公報
【０００６】
【特許文献２】
特開２００２−１９９４２８号公報
【０００７】
【発明が解決しようとする課題】
ところが、従来のハンドオーバ制御方法は、周辺の複数の基地局のそれぞれから到来する電波の受信品質を測定して基地局を選択しているため、一般的には距離的に最も近い基地局が選択されるが、例えば移動通信端末が高速移動している場合や移動速度がそれほど高くなくてもセル径が小さい場合には、ハンドオーバの頻度が高くなり移動通信端末にとって処理負荷が大きくなる。
【０００８】
また、受信品質のみのハンドオーバの判定では、受信経路の周囲の建物による影響や移動の影響によって生じるフェージングによる伝送路の状態変化が原因で、移動中に急激にレベルが変動した場合に対応できないことがある。例えば、移動通信端末が基地局に近い位置に存在していて受信レベルが高かったとしても、移動通信端末の移動や周囲の建物の影響に因って急激に受信レベルが変動して不要なハンドオーバを起こすことになる。
【０００９】
反対に、基地局に対して遠い位置に存在して受信レベルが低かったとしても、建物などがなく通信経路としての状態が良好な時はハンドオーバ先として当該基地局が選択されるべきであるが、ハンドオーバ先として選択されず、通信中のセルとの通信状態が急激に変化した時にハンドオーバが間に合わず、同期外れや回線切断を起こす原因となる。
【００１０】
本発明は上記事情に鑑みてなされたもので、不要なハンドオーバ制御回数を削減できる移動通信端末、ハンドオーバ制御方法及びハンドオーバ制御プログラムを提供することを目的とする。
【００１１】
【課題を解決するための手段】
請求項１の移動通信端末は、自端末周辺の複数の基地局のそれぞれと無線通信回線を介して通信を行う移動通信端末であって、接続中の周辺基地局の位置情報を取得して自端末の位置を検出する位置情報検出手段と、前記自端末の位置と前記基地局のそれぞれとの間の距離を算出する距離算出手段と、前記自端末の位置情報を基に自端末の移動方向と移動速度を検出する移動方向及び速度検出手段と、前記自端末と前記基地局のそれぞれとの間の伝送路品質を検出する伝送路品質検出手段と、前記自端末と前記基地局のそれぞれとの間の距離、前記自端末の移動方向及び速度並びに前記伝送路品質を基に前記基地局ごとの受信信号レベルに対するオフセット値を算出するオフセット算出手段と、前記基地局ごとに算出したオフセット値及び前記基地局ごとの受信信号レベルを基にハンドオーバ先となる基地局を選択するハンドオーバ先選択手段とを具備する。
【００１２】
上記構成によれば、移動通信端末と周辺の複数の基地局のそれぞれとの間の距離、伝送路品質及び移動通信端末の移動方向とその速度を基に基地局ごとの受信信号レベルに対するオフセットを算出し、算出した周辺の複数基地局ごとのオフセット値と、周辺の複数基地局ごとの受信信号レベルとを基にハンドオーバ先となる基地局を選択することで、不要なハンドオーバ制御回数を削減できる。そして、これによって移動通信端末の省電力化が図れるとともに無線通信システム全体の負荷の低減が図れる。
【００１３】
請求項２の移動通信端末は、請求項１に記載の移動通信端末において、前記位置情報検出手段は、前記基地局から送信される緯度経度情報に基づいて前記自端末の位置を検出する。
【００１４】
上記構成によれば、移動通信端末の位置と複数の周辺の基地局のそれぞれとの間の距離を求めるので、最適なハンドオーバ先の基地局を選択することが可能となり、不要なハンドオーバ制御回数を削減できる。
【００１５】
請求項３の移動通信端末は、請求項１又は請求項２に記載の移動通信端末において、前記移動方向及び速度検出手段は、前記位置距離算出手段で算出された前記自端末の位置の時間変化の割合から前記自端末の移動速度及び移動方向を算出する。
【００１６】
上記構成によれば、移動通信端末の移動速度とその移動方向を求めるので、最適なハンドオーバ先の基地局を選択することが可能となり、不要なハンドオーバ制御回数を削減できる。
【００１７】
請求項４の移動通信端末は、請求項１から請求項３のいずれか一項に記載の移動通信端末において、前記伝送路品質検出手段は、前記基地局から送信された無線信号を受信した際の受信信号レベルの分散とマルチパスによるパス数とに基づいて算出したフェージング劣化の度合いから前記伝送路品質を検出する。
【００１８】
上記構成によれば、フェージング劣化を検出して伝送路の状態を把握するので、フェージングの影響が受け難い基地局を優先して選択することが可能となり、常に安定した通信状態を維持することが可能となる。
【００１９】
請求項５の移動通信端末は、請求項４に記載の移動通信端末において、前記オフセット算出手段は、フェージング劣化の多い基地局に対してはマイナスのオフセット値を算出する。また、請求項６の移動通信端末は、請求項４に記載の移動通信端末において、前記オフセット算出手段は、フェージング劣化の少ない基地局に対してはプラスのオフセット値を算出する。
【００２０】
上記構成によれば、例えば移動通信端末との距離が近く受信レベルが高かったとしても、フェージングによって受信レベルにバラツキが生じやすい基地局の受信レベルをマイナス方向へのオフセットをかけ、受信レベルが低かったとしても通信経路としての状態が良好な基地局の受信レベルをプラス方向へのオフセットをかける。これにより、ハンドオーバ先の基地局としてふさわしくない基地局をハンドオーバ候補から外し、通信経路の良好な基地局をハンドオーバ先として選択し易くすることできるので、同期はずれや回線切断を起こさないように通信することが可能となる。
【００２１】
請求項７の移動通信端末は、請求項１から請求項６のいずれか一項に記載の移動通信端末において、前記ハンドオーバ先選択手段は、前記基地局のそれぞれに設定されたオフセット値と前記基地局のそれぞれからの無線信号の受信信号レベルとに基づいてハンドオーバ先となる基地局を選択する。
【００２２】
上記構成によれば、周辺の複数基地局のそれぞれに設定されたオフセットと周辺の複数基地局のそれぞれからの無線信号の受信信号レベルとを基にハンドオーバ先の基地局を選択するので、最適なハンドオーバ先の基地局を選択することが可能となり、不要なハンドオーバ制御回数を削減できる。
【００２３】
請求項８のハンドオーバ制御方法は、移動通信端末が基地間を移動する際に、その移動に伴って遂次通信に最適な基地局を選択するハンドオーバ制御方法であって、前記移動通信端末と接続中にある周辺の基地局の位置情報を取得して前記移動通信端末の位置を検出する位置情報工程と、前記自端末の位置と前記基地地局のそれぞれとの間の距離を算出する距離算出工程と、前記移動通信端末の位置情報を基に前記移動通信端末の移動方向と移動速度を検出する移動方向及び速度検出工程と、前記移動通信端末と前記基地局のそれぞれとの間の伝送路品質を検出する伝送路品質検出工程と、前記移動通信端末と前記基地局のそれぞれとの間の距離、前記移動通信端末の移動方向及び移動速度並びに前記伝送路品質を基に前記基地局ごとの受信信号レベルに対するオフセット値を算出するオフセット算出工程と、前記基地局ごとに算出したオフセット値及び前記基地局ごとの受信信号レベルを基にハンドオーバ先となる基地局を選択するハンドオーバ先選択工程とを具備する。また、請求項９のハンドオーバ制御プログラムは、移動通信端末が基地間を移動する際に、その移動に伴って遂次通信に最適な基地局を選択するハンドオーバ制御プログラムであって、前記移動通信端末と接続中にある周辺の基地局の位置情報を取得して前記移動通信端末の位置を検出する位置情報工程と、前記自端末の位置と前記基地地局のそれぞれとの間の距離を算出する距離算出工程と、前記移動通信端末の位置情報を基に前記移動通信端末の移動方向と移動速度を検出する移動方向及び速度検出工程と、前記移動通信端末と前記基地局のそれぞれとの間の伝送路品質を検出する伝送路品質検出工程と、前記移動通信端末と前記基地局のそれぞれとの間の距離、前記移動通信端末の移動方向及び移動速度並びに前記伝送路品質を基に前記基地局ごとの受信信号レベルに対するオフセット値を算出するオフセット算出工程と、前記基地局ごとに算出したオフセット値及び前記基地局ごとの受信信号レベルを基にハンドオーバ先となる基地局を選択するハンドオーバ先選択工程と、をコンピュータに実行させる。
【００２４】
上記構成によれば、移動通信端末と周辺の複数基地局のそれぞれとの間の距離、伝送路品質検出結果及び移動通信端末の移動方向とその速度を基に基地局ごとの受信信号レベルに対するオフセットを算出し、算出した周辺の複数基地局ごとのオフセット値と周辺の複数基地局ごとの受信信号レベルとを基にハンドオーバ先となる基地局を選択することで、不要なハンドオーバ制御回数を削減できる。そして、これによって移動通信端末の省電力化が図れるとともに無線通信システム全体の負荷の低減が図れる。
【００２５】
【発明の実施の形態】
以下、本発明の実施の形態について、図面を参照して説明する。図１は、本発明の一実施の形態に係る移動通信端末の構成を示すブロック図である。図１に示すように、本実施の形態に係る移動通信端末は、無線部１００と、ベースバンド処理部１１０と、ハンドオーバ制御部１２０と、記録部１３０とを備えている。ハンドオーバ制御部１２０は、位置情報検出部１２１と、距離算出部１２２と、移動方向及び速度算出部１２３と、伝送路品質検出部１２４と、オフセット算出部１２５と、ハンドオーバ選択部１２６とを備える。
【００２６】
記録部１３０は、自端末の移動に伴う複数の周辺基地の情報を記録する周辺基地局情報記録部１３１と、自端末の移動に伴う位置を記録する移動機位置情報記録部１３２と、複数の周辺基地局のそれぞれからの無線信号を受信したときの受信信号レベルを記録する受信レベル記録部１３３とを備えている。
【００２７】
無線部１００は基地局（図示略）との間で無線通信を行う。ベースバンド処理部１１０は、無線部１００からの受信信号を処理し、所定のフォーマットの復調データに変換する。位置情報検出部１２１は、接続中の周辺基地局の位置情報を取得して自端末の位置情報を検出する。距離算出部１２２は、自端末の位置情報と当該基地局との間の距離を算出する。移動方向及び速度算出部１２３は、自端末位置を基に自端末の移動方向を算出し、自端末位置の時間的変化から自端末の移動速度を算出する。伝送品質検出部１２４は、自端末と複数の周辺基地局のそれぞれとの間の伝送品質を検出する。
【００２８】
本実施の形態では伝送品質の判定にフェージング劣化を用いており、伝送品質検出部１２４は、周辺の複数の基地局のそれぞれから送信された無線信号を受信した際の受信信号レベルを記録し、記録した受信信号レベルの分散とマルチパスによるパス数とに基づいてフェージング劣化の度合いを算出する。フェージング劣化を検出して伝送路の状態即ち伝送品質を把握することで、フェージングの影響が受け難い基地局を優先して選択することが可能となり、常に安定した通信状態を維持することが可能となる。
【００２９】
オフセット算出部１２５は、周辺の複数基地局のそれぞれとの間の距離及び伝送品質検出結果並びに自端末の移動方向とその速度を基に基地局ごとの受信信号レベルに対するオフセットを算出する。この場合、オフセット算出部１２５は、フェージング劣化の多い基地局に対してはマイナスのオフセット値を算出し、フェージング劣化の少ない基地局に対してはプラスのオフセット値を算出する。すなわち、自端末との距離が近く受信レベルが高かったとしても、フェージングによって受信レベルにバラツキが生じやすい基地局の受信レベルをマイナス方向へのオフセットをかけ、受信レベルが低かったとしても通信経路としての状態が良好な基地局の受信レベルをプラス方向へのオフセットをかける。このようにすることにより、ハンドオーバ先の基地局としてふさわしくない基地局をハンドオーバ候補から外し、通信経路の良好な基地局をハンドオーバ先として選択し易くすることでき、同期はずれや回線切断を起こさないように通信することが可能となる。
【００３０】
ハンドオーバ先選択部１２６は、周辺の複数の基地局ごとに算出されたオフセットと周辺の複数基地局ごとの受信信号レベルとを基に最適なハンドオーバ先となる基地局を選択する。
【００３１】
次に、本実施の形態に係る移動通信端末の動作について説明する。移動通信端末が周辺の複数の基地局と通信中又は待ち受け動作中に、各基地局は無線信号を送信する。移動通信端末において、無線部１００にて基地局からの無線信号が受信されると、ベースバンド処理部１１０は、そのときの受信信号を所定のフォーマットの復調データに変換する。このとき周辺の複数の基地局のそれぞれに対する受信レベル及びマルチパスのパス数を基地局ごとに記録部１３０の受信レベル記録部１３３に記録する。ここで、図２は受信レベル記録部１３３に記録された情報の一例を示す図であり、この図に示すように、最新の時刻における受信レベルが複数記録される。
【００３２】
ハンドオーバ制御部１２０の位置情報検出部１２１は、無線部１００を介して周辺の複数の基地局から送信される報知情報を一定期間ごとに受信して周辺基地局の位置情報を取得し、ベースバンド処理部１１０を介して周辺基地局情報記録部１３１に記録する。この場合、周辺の基地局全ての位置情報を取得する訳ではなく、報知情報を受信できた基地局の位置情報を取得する。周辺基地局の位置情報を取得する処理を行った後、その中で報知情報を受信できた基地局の位置情報より自端末の位置を検出し、ベースバンド処理部１１０を介して移動機位置情報記録部１３２へ記録する。ここで、図３は周辺基地局情報記録部１３１に記録される情報の一例を示す図であり、周辺基地局Ａ〜Ｃの位置（ＸＸ１、ＹＹ１、ＸＸ２、ＹＹ２、ＸＸ３、ＹＹ３）、自端末との距離（近距離、近距離、遠距離）、伝送路品質を示すフェージング劣化の状態（小、大、小）、オフセット（−、−Ａ、＋Ｂ）が記録されている。
【００３３】
一定時間ごとに移動機位置情報記録部１３２に位置情報が記録されることで、移動速度算出部１２２が自端末の距離の時間変化に基づいて自端末の移動速度を算出する。また、移動方向算出部１２３が自端末の距離の時間変化に移動方向を算出する。一方、受信レベル記録部１３３に複数時刻分の受信レベルデータが蓄積されることで、伝送路品質検出部１２４がその蓄積された受信レベルデータに基づいて周辺基地局からの無線信号の受信レベルの分散を算出し、さらに受信レベルの分散とマルチパスのパス数に基づいてフェージング劣化の状態を設定し、周辺基地局情報記録部１３１に保存する。
【００３４】
このようにして自端末の移動方向、移動速度、周辺の複数基地局のそれぞれとの距離、周辺の複数基地局のそれぞれにおけるフェージング劣化の状態の各種パラメータが求まると、オフセット算出部１２５がこれらのパラメータに基づいて基地局ごとに受信レベルに対するオフセットを算出する。そして、ハンドオーバ先選択部１２６が周辺の複数基地局ごとに算出されたオフセット値と周辺の複数基地局ごとの受信信号レベルとを基にハンドオーバ先となる基地局を選択する。
【００３５】
次に、本実施の形態に係る移動通信端末を無線通信システムに用いた場合の動作について説明する。図４は、この無線通信システムを示すブロック図である。この図では３つの基地局２１０、２２０及び２３０が配置されており、また移動通信端末２００がＰ１地点からＰ２地点まで移動中にあるものとする。また、基地局２２０と移動通信端末２００との間には障害物２４０がある。Ｐ１地点を移動中の移動通信端末２００は基地局２１０と通信中であり、基地局２２０及び基地局２３０は下り信号を受信しているモニタ状態である。
【００３６】
図５は、図４の無線通信システムにおける移動通信端末の動作を示すフローチャートである。移動通信端末２００が基地局２１０と通信している間に任意のタイミングで周辺基地局２１０、２２０、２３０からの報知情報として位置情報を取得し記録する（ステップ３００）。また、一定期間ごとに周辺基地局２１０、２２０、２３０からの無線信号を受信し、その受信レベルを記録する。
【００３７】
移動通信端末２００は、受信した周辺基地局２１０、２２０、２３０の位置情報及び現在検出している基地局２１０の位置情報をもとに自己の位置を検出する（ステップ３０１）。次いで、移動通信端末２００は、記録している自己位置の時間毎の変化を基に移動速度及び移動方向を算出する（ステップ３０２）。次いで、基地局ごとに過去複数回分の受信レベルの測定値を基に受信レベルの分散を算出し、この分散とマルチパスのパス数を基にフェージングによる伝送路品質の判定を行う（ステップ３０３）。
【００３８】
次いで、移動通信端末２００は、周辺基地局２１０、２２０、２３０のそれぞれとの間の距離、自端末の移動方向及び移動速度、フェージング劣化の各種パラメータから基地局２１０、２２０、２３０ごとの受信レベルのオフセットを設定する（ステップ３０４）。すなわち、いま自端末が位置Ｐ１から位置Ｐ２に向かって移動中の場合、基地局２２０との距離が近く受信レベルが高かったとしても建物によるフェージングにより受信レベルのバラツキが生じるのでハンドオーバ候補としての優先度を低く設定し、マイナスの値をオフセットとして設定する。逆に、基地局２３０との距離が遠く、受信レベルが低かったとしてもフェージングの影響が少ないので、移動通信端末２００の移動方向にある基地局２３０の優先度高く設定し、プラスの値をオフセットとして設定する。
【００３９】
そして、移動通信端末２００は、通信中の基地局２１０の受信レベルを基に算出したハンドオーバ閾値と周辺基地局の受信レベル＋オフセットとの比較を行う（ステップ３０５）。周辺基地局の受信レベル＋オフセットの値がハンドオーバ閾値より大きい場合は周辺基地局へハンドオーバ制御を行う（ステップ３０６）。ハンドオーバ制御を行った後、ステップ３０１に戻る。これに対して、周辺基地局の受信レベル＋オフセットの値がハンドオーバ閾値以下の場合、ハンドオーバ制御を行わず、そのままステップ３０１に戻る。
【００４０】
このように、本実施の形態に係る移動通信端末によれば、位置情報検出部１２１、移動速度算出部１２２及び移動方向算出部１２３によって、移動通信端末と周辺の複数の基地局のそれぞれとの間の距離と、移動通信端末の移動方向とその速度とを求め、更に伝送路品質検出部１２４で周辺の複数基地局のそれぞれにおけるフェージング劣化の状態を求める。そして、求めた各種パラメータを基にオフセット算出部１２５にて基地局ごとの受信信号レベルに対するオフセットを算出し、そして算出した周辺の複数基地局ごとのオフセット値と周辺の複数基地局ごとの受信信号レベルとを基にハンドオーバ先選択部１２６にてハンドオーバ先となる基地局を選択する。これにより、これまで常に近い基地局が選択されることが多かった従来のハンドオーバ方式に比べて不要なハンドオーバの制御回数が減少し、結果的に移動通信端末の省電力化が図れるとともに無線通信システム全体の負荷の低減が図れる。
【００４１】
また、本実施の形態に係る移動通信端末によれば、フェージングによる受信信号の受信レベルの急激な変化が生じ易い基地局の受信レベルにマイナスのオフセットをかけることで、ハンドオーバ先として選択しないようにすることができる。また、フェージングによる受信信号の受信レベルの急激な変化が生じ難い基地局の受信レベルにプラスのオフセットをかけることで、ハンドオーバ先として優先的に選択するように制御することができる。
【００４２】
【発明の効果】
本発明によれば、移動通信端末と周辺の複数基地局のそれぞれとの間の距離及び各基地局間の伝送路品質並びに移動通信端末の移動方向及びその速度に基づいてハンドオーバ制御を行うことで、不要なハンドオーバ制御回数を削減できる。そして、これによって移動通信端末の消費電力を低減できると共に無線通信システム全体の負荷を低減して安定な通信を維持することができる。
【００４３】
また、本発明によれば、伝送路品質の高い基地局を優先して選択することで、通信中の基地局からの受信レベルの急激な劣化を防ぐことができ、基地局との同期外れや回線切断を削減することができる。
【図面の簡単な説明】
【図１】本発明の一実施の形態に係る移動通信端末の構成を示すブロック図。
【図２】図１の移動通信端末の受信レベル記録部に記録される周辺基地局受信レベルの一例を示す図。
【図３】図１の移動通信端末の周辺基地局記録部に記録される周辺基地局情報の一例を示す図。
【図４】図１の移動通信端末を用いた無線通信システムを示す図。
【図５】図４の無線通信システムにおける移動通信端末の動作を示すフローチャート。
【符号の説明】
１００  無線部
１１０  ベースバンド処理部
１２０  ハンドオーバ制御部
１２１  位置情報検出部
１２２  距離算出部
１２３  移動方向及び速度算出部
１２４  伝送路品質検出部
１２５  オフセット算出部
１２６  ハンドオーバ先選択部
１３０  記録部
１３１  周辺基地局情報記録部
１３２  移動機位置情報記録部
１３３  受信レベル記録部
【図１】
2005012429.tif 000003
【図２】
2005012429.tif 000004
【図３】
2005012429.tif 000005
【図４】
2005012429.tif 000006
【図５】
2005012429.tif 000007